(57)【要約】【課題】  洗濯乾燥機において、洗濯運転に要する時間を短縮し、運転効率の改善を図る。【解決手段】  洗濯乾燥機１００被洗濯物を収容する内槽ドラム５を備え、この内槽ドラム５内において被洗濯物の洗濯運転とこの洗濯運転終了後の乾燥運転とを実行するものであって、洗濯運転において、内槽ドラム５内に給水するための給水通路１５、及び、内槽ドラム５内の水を排出するための排水通路１２と、コンプレッサ２１、ガスクーラ２２、膨張弁２３及び蒸発器２４等を順次環状に配管接続してなり、二酸化炭素を冷媒として用いる冷媒回路２０と、乾燥運転において、ガスクーラ２２と熱交換した空気を内槽ドラム５内に吐出すると共に、この内槽ドラム５内を経た空気を蒸発器２４と熱交換させるための送風機７５とを備えている。【選択図】      図１
2006312075.tif 000002
【特許請求の範囲】
【請求項１】
被洗濯物を収容する収容室を備え、該収容室内において前記被洗濯物の洗濯運転と該洗濯運転終了後の乾燥運転とを実行する洗濯乾燥機において、
前記洗濯運転において、前記収容室内に給水するための給水手段、及び、前記収容室内の水を排出するための排水手段と、
コンプレッサ、ガスクーラ、減圧装置及び蒸発器等を順次環状に配管接続してなる冷媒回路と、
前記乾燥運転において、前記ガスクーラと熱交換した空気を前記収容室内に吐出すると共に、該収容室内を経た空気を前記蒸発器と熱交換させるための送風手段とを備え、
前記給水手段により供給され、前記冷媒回路の高圧側冷媒により加熱された水を直接前記収容室内に供給するとともに、前記加熱された水で洗濯を行うことを特徴とする洗濯乾燥機。
【請求項２】
被洗濯物を収容する収容室を備え、該収容室内において前記被洗濯物の洗濯運転と該洗濯運転終了後の乾燥運転とを実行する洗濯乾燥機において、
前記洗濯運転において、前記収容室内に給水するための給水手段、及び、前記収容室内の水を排出するための排水手段と、
コンプレッサ、ガスクーラ、給水加熱用熱交換器、減圧装置及び蒸発器等を順次環状に配管接続してなる冷媒回路と、
前記乾燥運転において、前記ガスクーラと熱交換した空気を前記収容室内に吐出すると共に、該収容室内を経た空気を前記蒸発器と熱交換させるための送風手段とを備え、
前記洗濯運転において前記給水手段により前記収容室内に供給される水を、前記冷媒回路の前記給水加熱用熱交換器を流れる冷媒のみにより加熱することを特徴とする洗濯乾燥機。
【請求項３】
前記洗濯運転に加えて、すすぎ運転においても、前記給水手段により前記収容室内に供給される水を、前記冷媒回路の高圧側冷媒により加熱することを特徴とする請求項１に記載の洗濯乾燥機。
【請求項４】
前記洗濯運転に加えて、すすぎ運転においても、前記給水手段により前記収容室内に供給される水を、前記冷媒回路の前記給水加熱用熱交換器を流れる冷媒のみにより加熱することを特徴とする請求項２に記載の洗濯乾燥機。
【請求項５】
前記給水手段により前記収容室内に水が供給される時に、前記コンプレッサを運転することを特徴とする請求項１乃至４に記載の洗濯乾燥機。
【請求項６】
前記排水手段により前記収容室内から排出される水を一旦貯溜する排水貯溜部を備え、
前記洗濯運転においては、前記冷媒回路の低圧側冷媒を蒸発させて前記排水貯溜部に貯溜された水から吸熱することを特徴とする請求項１乃至５に記載の洗濯乾燥機。
【請求項７】
前記洗濯運転においては、前記冷媒回路の低圧側冷媒を蒸発させて外気から吸熱することを特徴とする請求項１乃至５に記載の洗濯乾燥機。
【発明の詳細な説明】
【技術分野】
【０００１】
本発明は、被洗濯物を収容する収容室を備え、この収容室内において被洗濯物の洗濯と乾燥を行う洗濯乾燥機に関するものである。
【背景技術】
【０００２】
近年では被洗濯物を収容する収容室内にて、洗濯から乾燥までを自動的に行う洗濯乾燥機が供されている。係る洗濯乾燥機は、一般に洗い、すすぎ、脱水等の複数の異なる行程を有する洗濯運転と、前記行程にて脱水された被洗濯物を乾燥するための乾燥運転とを実行するものである。
【０００３】
ここで、前記乾燥運転は、従来では電気ヒータやガス燃焼ヒータを熱源とし、外気をこれらの電気ヒータや燃焼ヒータによって加熱して高温空気とした後、被洗濯物が収容された収容室内に吹き出して、収容室内の被洗濯物を乾燥させるものであった。そして、被洗濯物を乾燥させた収容室内の高温空気は外部に排出されていた。
【０００４】
しかしながら、電気ヒータやガス燃焼ヒータなどを使用して乾燥運転を行った場合には、収容室内に送出される高温空気は、収容室外の温度が低く湿度を含む外気が使用されるため、被洗濯物が乾燥するまでに長時間を要する。従って、被乾燥物を乾燥させるためのエネルギー消費量も多くなり、電気代やガス代等のエネルギーコストが高騰してしまう問題があった。
【０００５】
そこで、洗濯乾燥機では圧縮機、加熱コイル、膨張弁及び冷却コイルから成り、熱交換媒体を循環可能としたヒートポンプを利用し、前記加熱コイルにて加熱された高温空気にて被洗濯物を乾燥させ、当該被洗濯物から蒸発した湿気は冷却コイルに凝結させて廃棄するものも開発されている（特許文献１参照）。
【特許文献１】特開平１１−９９２９９号公報
【発明の開示】
【発明が解決しようとする課題】
【０００６】
このようなヒートポンプを用いることで、被洗濯物の乾燥に要する時間を短縮し、エネルギー効率を改善することが期待できるが、収容室内にて洗濯運転と乾燥運転の双方を実行する洗濯乾燥機においては、洗濯運転を含めた相対的な効率の改善が切望されていた。
【課題を解決するための手段】
【０００７】
本発明は、被洗濯物を収容する収容室を備え、この収容室内において被洗濯物の洗濯運転とこの洗濯運転終了後の乾燥運転とを実行する洗濯乾燥機であって、洗濯運転において、収容室内に給水するための給水手段、及び、収容室内の水を排出するための排水手段と、コンプレッサ、ガスクーラ、減圧装置及び蒸発器等を順次環状に配管接続してなり、二酸化炭素を冷媒として用いる冷媒回路と、乾燥運転において、ガスクーラと熱交換した空気を収容室内に吐出すると共に、この収容室内を経た空気を蒸発器と熱交換させるための送風手段とを備え、洗濯運転において給水手段により収容室内に供給される水を、冷媒回路の高圧側冷媒により加熱するものである。
【０００８】
請求項２の発明は、上記におえて排水手段により収容室内から排出される水を一旦貯溜する排水貯溜部を備え、洗濯運転においては、冷媒回路の低圧側冷媒を蒸発させて排水貯溜部に貯溜された水から吸熱するものである。
【０００９】
請求項３の発明は、請求項１の発明において洗濯運転においては、冷媒回路の低圧側冷媒を蒸発させて外気から吸熱するものである。
【００１０】
請求項４の発明は、請求項２又は請求項３の発明において排水貯溜部内の水又は外気から吸熱するための補助蒸発器と、減圧装置を経た冷媒を蒸発器に流すか補助蒸発器に流すかを制御する流路制御手段と、コンプレッサ、送風手段及び流路制御手段を制御する制御手段とを備え、この制御手段は、給水手段による給水時にコンプレッサを運転し、流路制御手段により補助蒸発器に冷媒を流すものである。
【発明の効果】
【００１１】
本発明の洗濯乾燥機は、被洗濯物を収容する収容室を備え、この収容室内において被洗濯物の洗濯運転とこの洗濯運転終了後の乾燥運転とを実行するものであって、洗濯運転において、収容室内に給水するための給水手段、及び、収容室内の水を排出するための排水手段と、コンプレッサ、ガスクーラ、減圧装置及び蒸発器等を順次環状に配管接続してなり、二酸化炭素を冷媒として用いる冷媒回路と、乾燥運転において、ガスクーラと熱交換した空気を収容室内に吐出すると共に、この収容室内を経た空気を蒸発器と熱交換させるための送風手段とを備えているので、乾燥運転において被洗濯物の乾燥に要する電気エネルギーと運転時間を削減し、効率の良い乾燥運転を実現できる。
【００１２】
特に、洗濯運転において給水手段により収容室内に供給される水を、冷媒回路の高圧側冷媒により加熱するようにしたので、洗濯運転において収容室内に供給される水の温度を上げて洗剤の水溶性を高めることができるようになる。これにより、洗濯性能が向上するので、洗濯運転に要する時間も短縮することができるようになり、総じて運転効率の著しい改善を図ることが可能となるものである。
【００１３】
請求項２の発明では、上記に加えて排水手段により収容室内から排出される水を一旦貯溜する排水貯溜部を備え、洗濯運転においては、冷媒回路の低圧側冷媒を蒸発させて排水貯溜部に貯溜された水から吸熱するようにしたので、収容室内から排出され、排水貯溜部内に一旦貯溜された水から熱を汲み上げて収容室内に供給される水の加熱を効率良く行うことが可能となる。また、排水貯溜部に吸熱構造を集約できるので、洗濯乾燥機の小型化も図ることができるようになるものである。
【００１４】
請求項３の発明では、請求項１の発明に加えて洗濯運転においては、冷媒回路の低圧側冷媒を蒸発させて外気から吸熱するようにしたので、外気から熱を汲み上げて収容室内に供給される水の加熱を効率良く行うことが可能となるものである。
【００１５】
請求項４の発明では、請求項２又は請求項３の発明に加えて排水貯溜部内の水又は外気から吸熱するための補助蒸発器と、減圧装置を経た冷媒を蒸発器に流すか補助蒸発器に流すかを制御する流路制御手段と、コンプレッサ、送風手段及び流路制御手段を制御する制御手段とを備え、この制御手段は、給水手段による給水時にコンプレッサを運転し、流路制御手段により補助蒸発器に冷媒を流すようにしたので、洗濯運転時におけるコンプレッサの運転時間を必要最小限に抑え、更なるエネルギー効率の改善を図ることが可能となるものである。
【発明を実施するための最良の形態】
【００１６】
本発明は、係る技術的課題を解決するために、洗濯運転に要する時間を短縮し、運転効率の改善を図ることができる洗濯乾燥機を提供する。以下に図面に基づき本発明の実施の形態を詳述する。
【００１７】
図１は本発明の一実施例の洗濯乾燥機１００の側面から見た内部構成図を示している。洗濯乾燥機１００は、衣類等の被洗濯物を洗濯、及び、乾燥するために使用するもので、外郭を形成する本体１の上面中央部には被洗濯物を納出するための開閉扉３が取り付けられており、開閉扉３の側方の本体１上面には各種の操作スイッチや表示部が配設された図示しない操作パネルが設けられている。
【００１８】
前記本体１内には、貯水可能な円筒状樹脂製の外槽ドラム２が設けられ、この外槽ドラム２は円筒の軸を左右方向として配設されている。そして、この外槽ドラム２の内側には、洗濯槽と脱水槽を兼ねる円筒状ステンレス製の内槽ドラム５が設けられている。この内槽ドラム５の内部は被洗濯物を収容する収容室１０とされ、これも円筒の軸を左右方向として配設されると共に、この軸が本体１の側壁（図１の奥側）に装着された駆動モータＭの軸８に連結され、当該軸８を中心とし、外槽ドラム２内で回転可能に保持されている。
【００１９】
前記外槽ドラム２の上部には、前記開閉扉３に対応して被洗濯物を納出するための図示しない水密性の開閉蓋が設けられている。また、内槽ドラム５の全周壁には、空気及び水が流通可能な多数の透孔７・・が形成されている。また、当該内層ドラム５の停止位置は規定されており、この停止時に前記外槽ドラム２の開閉蓋に対応する位置（上面）には被洗濯物を納出するための図示しない開閉蓋を有している。
【００２０】
前述した駆動モータＭは、洗濯運転及び当該洗濯運転終了後の乾燥運転において、左右水平方向の軸８を中心として内槽ドラム５を回転させるためのモータである。この駆動モータＭは、前記軸８の一端に取り付けられ、後述する制御手段としての制御装置１１０により、乾燥運転時においては洗濯運転時に比して低速にて内槽ドラム５を回転させるように制御される。
【００２１】
前記軸８の他端内には内部中空の中空部９が形成されており、この中空部９を介して後述する空気循環経路７２と内槽ドラム５内とが連通されている。
【００２２】
一方、前記本体１の上部には、内槽ドラム５内に給水するための給水手段としての給水通路１５が設けられており、この給水通路１５の一端はこれも給水手段を構成する給水バルブ３５を介して水道水などの給水源に接続されている。この給水バルブ３５は前記制御装置１１０にて開閉が制御される。また、給水通路１５の他端は、前記外槽ドラム２に接続されて内部と連通しており、制御装置１１０にて前記給水バルブ３５が開放されると、外槽ドラム２内に設けられた内槽ドラム５内の収容室１０に給水源から水（水道水）が供給されるように構成されている。
【００２３】
尚、この給水通路１５には上述した如く収容室１０に供給される水を加熱するための後述する熱交換器５０が交熱的に設けられている。
【００２４】
また、前記本体１の下部には、内槽ドラム５内の収容室１０の水を排出するための排水手段としての排水通路１２が設けられており、この排水通路１２の一端は、制御装置１１０にて開閉を制御される排水バルブ１３（これも排水手段を構成する）を介して外槽ドラム２の最底部と連通している。また、排水通路１２の他端は、洗濯乾燥機１００の外部に導出され、排水溝等に至る。
【００２５】
ここで、排水通路１２には、前記収容室１０から排出される水によって排水通路１２内を水封するためのＵトラップ１４が構成されると共に、このＵトラップ１４手前（排水バルブ１３側）には通路が拡開された排水貯溜部１６が形成されている。制御装置１１０により排水バルブ１３が開放されると、収容室１０からの水（排水）は一旦この排水貯溜部１６内に貯溜された後、Ｕトラップ１４から溢れて流出していく。そして、排水バルブ１３が閉じられると、排水貯溜部１６内に水が貯溜された状態で、Ｕトラップ１４により排水通路１２が水封される。更に、この排水貯溜部１６には、後述する補助蒸発器２５が交熱的に設けられている。
【００２６】
他方、洗濯乾燥機１００には、本体１内の外槽ドラム２の下側及び／又は後側から側方に渡って機械室７０が構成されており、この機械室７０内に前述した空気循環経路７２が構成されている。
【００２７】
この空気循環経路７２の一端には入口７３が形成され、空気循環経路７２の入口７３の近傍の空気循環経路７２内には後述する冷媒回路２０の蒸発器２４が設置されている。そして、この空気循環経路７２の入口７３は外槽ドラム２内の後部と連通している。また、空気循環経路７２の他端には出口７４が形成され、この出口７４近傍の空気循環経路７２内には後述する冷媒回路２０のガスクーラ２２が設置されている。この空気循環経路７２の出口７４は前記軸８の他端に形成された中空部９にて開口している。
【００２８】
また、空気循環経路７２内には、送風手段としての送風機７５が設けられており、空気循環経路７２の出口７４から軸８の中空部９を経て内槽ドラム５内の収容室１０内に送風する。即ち、洗濯乾燥機１００は、乾燥運転時に内槽ドラム５内の空気を送風機７５により空気循環経路７２内に循環させることにより、空気循環経路７２の出口７４側に設けられたガスクーラ２２との熱交換にて空気を加熱した後、内槽ドラム５内の収容室１０に吐出する。そして、収容室１０内を循環し、被洗濯物を乾燥させた後の空気は、入口７３から空気循環経路７２内に吸い込まれ、この入口７３側に設けられた蒸発器２４と熱交換して冷却され、除湿された後、再び送風機７５に吸い込まれてガスクーラ２２に送られ、収容室１０内に吐出される構成とされている。
【００２９】
次に図１において、２０は前述した冷媒回路であり、当該冷媒回路２０はコンプレッサ２１、ガスクーラ２２、減圧装置としての膨張弁２３及び蒸発器２４等を順次環状に配管接続して構成されている。また、冷媒回路２０内には、冷媒として二酸化炭素（ＣＯ2）
が所定量封入されている。ここで、本実施例で使用するコンプレッサ２１は内部中間圧型多段圧縮式のロータリコンプレッサであり、図示しない密閉容器内に電動要素と、この電動要素にて駆動される第１の回転圧縮要素（１段目）及び第２の回転圧縮要素（２段目）が設けられている。
【００３０】
そして、冷媒導入管３０からコンプレッサ２１の第１の回転圧縮要素に低圧冷媒が導入され、冷媒吐出管３２から第２の回転圧縮要素で圧縮された高温高圧の冷媒がコンプレッサ２１外に吐出される構成とされている。
【００３１】
このコンプレッサ２１の冷媒吐出管３２は、前記空気循環経路７２の出口７４側に設けられた空気加熱用のガスクーラ２２の入口に接続される。このガスクーラ２２を出た配管は前述した熱交換器５０を経た後、膨張弁２３に至る。この膨張弁２３の出口は流路制御手段を構成する三方弁４２を介して前記入口７３側に設けられた蒸発器２４の入口に至り、蒸発器２４の出口はこれも流路制御手段を構成するもう一つの三方弁４４を介して冷媒導入管３０と接続され、コンプレッサ２１に至る。また、コンプレッサ２１の運転及び膨張弁２３と三方弁４２、４４は前記制御装置１１０により制御される。
【００３２】
前記熱交換器５０は、冷媒回路２０の高圧側の冷媒（高温高圧の冷媒）と給水源から給水通路１５を経て外槽ドラム２内に供給される水とを熱交換するために設けられたものであり、給水通路１５を通過する水は、係る熱交換器５０と熱交換し、高圧側冷媒により加熱される。
【００３３】
一方、冷媒回路２０には蒸発器２４をバイパスするバイパス回路４０が形成され、このバイパス回路４０には前述した如く排水通路１２の排水貯溜部１６に設置された補助蒸発器２５が接続されている。そして、バイパス回路４０の両端は前記三方弁４２、４４に接続されている。そして、制御装置１１０は、給水通路１５による給水時にコンプレッサ２１を運転し、三方弁４２、４４により前記補助蒸発器２５に冷媒を流す。
【００３４】
尚、上述した制御装置１１０は洗濯乾燥機１００の制御を司る制御手段であり、駆動モータＭの運転、給水通路１５の給水バルブ３５の開閉、排水通路１２の排水バルブ１３の開閉、コンプレッサ２１の運転、膨張弁２３の絞り調整、送風機７５の風量、及び、前記三方弁４２、４４の切換を制御している。更に、制御装置１１０は内槽ドラム５内に収容された被洗濯物が変色及び損傷しないようにガスクーラ２２を経た空気の温度も制御する。
【００３５】
以上の構成で次に洗濯乾燥機１００の動作を説明する。内槽ドラム５内の収容室１０に被洗濯物と当該被洗濯物の量に応じた所定量の洗剤が投入され、前述した操作スイッチのうちの電源スイッチ及びスタートスイッチが操作されると、制御装置１１０は洗濯運転を開始する。この洗濯運転では、制御装置１１０はバイパス回路４０の補助蒸発器２５に冷媒が流れるよう三方弁４２、４４を切り替える。更に、制御装置１１０は給水通路１５の給水バルブ３５を開いて給水通路１５を開放する。これにより、給水源から外槽ドラム２内の内層ドラム５の収容室１０内に水が供給される。尚、このとき排水通路１２の排水バルブ１３は閉じられている。
【００３６】
また、制御装置１１０は前記給水バルブ３５の開放と同時にコンプレッサ１０の前記電動要素を起動する。これにより、コンプレッサ２１の前記第１の回転圧縮要素に冷媒（ＣＯ2）が吸い込まれて圧縮される。第１の回転圧縮要素で圧縮されて中間圧となった冷媒
は密閉容器内に吐出され、この密閉容器内に吐出された冷媒は第２の回転圧縮要素に吸入され、２段目の圧縮が行われて高温高圧の冷媒ガスとなり、冷媒吐出管３２より外部に吐出される。
【００３７】
冷媒吐出管３２から吐出された冷媒ガスはガスクーラ２２を経て熱交換器５０に流入する。この洗濯運転中、送風機７５は運転されない。従って、前記ガスクーラにおいて冷媒は殆ど放熱せずに熱交換器５０に流入する。ここで、コンプレッサ２１で圧縮され、ガスクーラ２２から熱交換器５０に至る冷媒回路２０の高圧側の冷媒は凝縮せず、超臨界状態で運転される。また、熱交換器５０に流入したときの冷媒温度は約＋１３０℃程まで上昇しており、係る高温高圧の冷媒ガスはここで給水通路１５内を通過する水と熱交換して放熱し、熱交換器５０を出る。一方、熱交換器５０にて高圧側の冷媒から熱を奪った水は温水となり、外槽ドラム２を介して被洗濯物が収容された収容室１０内に供給されていく。
【００３８】
このように、熱交換器５０において給水通路１５を通過する水を加熱することにより、温水を外槽ドラム２内から透孔７を介して内槽ドラム５内の収容室１０に供給することができるようになる。即ち、洗濯運転において収容室１０に供給される水の温度を上げることで、洗剤の水溶性を高めることができるようになる。
【００３９】
これにより、洗剤の溶け残り等を防ぎ、被洗濯物の汚れを効果的に取り除くことができるようになり、洗濯性能の向上と洗濯時間の短縮を図ることができるようになる。
【００４０】
尚、熱交換器５０において給水通路１５から供給される水は例えば＋３０℃乃至＋４０℃程度に加熱されるように、制御装置１１０によりコンプレッサ２１の運転を制御する。
【００４１】
一方、熱交換器５０を出た冷媒は膨張弁２３に至る。ここで、冷媒は減圧されて液化し、三方弁４２を経て排水通路１２の排水貯溜部１６に設置された補助蒸発器２５に入る。この補助蒸発器２５に流入した冷媒は、排水貯溜部１６に貯溜されている水（排水）から吸熱して蒸発する。即ち、冷媒回路２０は、補助蒸発器２５において冷媒により排水通路１２の排水貯溜部１６に貯溜された水から熱を汲み上げ、熱交換器５０に搬送して収容室１０に供給される水を加熱するヒートポンプとして機能する。
【００４２】
これにより、収容室１０から排出された排水貯溜部１６内の水から排熱を回収することが出来るようになり、エネルギー効率の改善を図ることができるようになる。また、熱交換器５０による水の加熱も効率よく行うことが可能となる。
【００４３】
尚、制御装置１１０は補助蒸発器２５による冷却によってＵトラップ１４手前の排水貯溜部１６に貯留された水が凍結しないよう、例えば水の温度が＋３℃乃至＋５℃の温度となるように膨張弁２３の弁開度やコンプレッサ２１の運転を制御する。
【００４４】
その後、冷媒は三方弁４４を経て冷媒導入管３０からコンプレッサ２１の第１の回転圧縮要素に吸い込まれるサイクルを繰り返す。
【００４５】
内槽ドラム５内の収容室１０に所定量の温水が溜まると、制御装置１１０は給水バルブ３５を閉じて給水通路１５を閉塞する。これにより、給水源からの水の供給が停止される。また、給水の停止に同期して制御装置１１０はコンプレッサ２１の運転を停止する。
【００４６】
次に、制御装置１１０により本体１の側面に形成された駆動モータＭが通電起動されて軸８が回転し、これにより、軸８に取り付けられた内槽ドラム５が外槽ドラム２内で回転し始め、洗濯運転の洗濯行程が開始される。
【００４７】
洗濯行程の開始から所定時間経過すると、制御装置１１０により駆動モータＭが停止され、排水通路１２の排水バルブ１３が開放されて内槽ドラム２の収容室１０内（即ち、外槽ドラム５内）の水（洗濯水）が前述の如くＵトラップ１４を経て排出されていく。
【００４８】
そして、内槽ドラム５の収容室１０内の水が排出されると、制御装置１１０は再び駆動モータＭを作動し、被洗濯物の脱水を行う。この脱水を所定時間実行した後、制御装置１１０は排水通路１２の排水バルブ１３を閉じる。これにより、排水通路１２の排水貯溜部１６には、前記内槽ドラム５に供給された温水が貯溜される。
【００４９】
次に、制御装置１１０はすすぎ行程に移行し、給水通路１５の給水バルブ３５を開いて給水通路１５を開放する。これにより、給水源から内槽ドラム５内の収容室１０に再び水が供給される。制御装置１１０は前記給水バルブ３５の開放に同期して、前記コンプレッサ１０を再起動し、前述同様に熱交換器５０で供給される水を加熱する。
【００５０】
これにより、このすすぎ行程においても洗濯行程と同様に熱交換器５０にて加熱された温水が収容室１０内に供給される。また、前記洗濯行程と同様に、排水通路１２の排水貯溜部１６から汲み上げられた熱が熱交換器５０にて利用される。
【００５１】
一方、内槽ドラム５内の収容室１０に所定量の給水が行われると、制御装置１１０は給水バルブ３５を閉じ、給水通路１５を閉塞する。これにより、給水源からの水の供給が停止される。また、制御装置１１０はコンプレッサ２１の運転を停止する。
【００５２】
そして、前記駆動モータＭの回転動作を所定時間繰り返してすすぎを行った後、制御装置１１０は駆動モータＭを停止し、排水通路１２の排水バルブ１３を開いて収容室１０内のすすぎ水を排水通路１２に排出する。収容室１０内のすすぎ水が排出されると、制御装置１１０は再び駆動モータＭを作動し、前述同様に内槽ドラム５を回転させて、被洗濯物の脱水を行う脱水行程に移行する。
【００５３】
このように、すすぎ行程においても熱交換器５０にて加熱された温水が内槽ドラム５に供給されるので、被洗濯物に付着した洗剤を溶かして効果的に落とすことができるようになる。これにより、すすぎ能力が向上し、すすぎ時間の短縮を図ることができるようになる。
【００５４】
また、コンプレッサ２１は給水中のみ運転されるので、コンプレッサ２１の運転時間も必要最小限に抑えることができるようになり、洗濯及びすすぎ時間の短縮も合わせ、全体としてエネルギー効率を一層改善することができるようになる。
【００５５】
更に、加熱された温水が内槽ドラム５に供給されるので、乾燥運転前に収容室１０の温度上昇がなされているため、乾燥運転時にコンプレッサ２１を起動してからガスクーラ２２が所定の高温に温まるまでの立ち上がりの温度上昇を補助することができるようになる。これにより、乾燥時間の短縮及び洗濯乾燥機１００の運転効率の向上を図ることができるようになる。
【００５６】
そして、この脱水行程を所定時間実行した後、制御装置１１０は排水バルブ１３を閉じる。また、制御装置１１０は冷媒回路２０内の冷媒が蒸発器２４に流れるように前記三方弁４２、４４を切り換え、コンプレッサ２１を起動すると共に、送風機７５の運転を開始する。そして、前記駆動モータＭにより内槽ドラム５を回転させて乾燥運転に移行する。この乾燥運転では、コンプレッサ２１から吐出された高温・高圧の冷媒ガスはガスクーラ２２と熱交換器５０で放熱した後、膨張弁２３で減圧され、次に蒸発器２４に流入してそこで周囲から吸熱し、蒸発して冷媒導入管３２からコンプレッサ２１の第１の回転圧縮要素に吸い込まれる循環を行うようになる。
【００５７】
また、送風機７５の運転により、ガスクーラ２２における高温高圧の冷媒の放熱によって加熱され、高温となった空気は空気循環経路７２の出口７４から中空部９内に出て内槽ドラム５の収容室１０内に吐出される。
【００５８】
収容室１０に吐出された加熱空気（この時点で＋８５℃〜＋９５℃）は内槽ドラム５内（収容室１０）に収容された被洗濯物を暖めて湿気を蒸発させ、被洗濯物を乾燥させる。被洗濯物を乾燥させて湿気を含んだ空気（空気温度は＋６０℃程度）は、収容室１０を経て透孔７から内槽ドラム５外に出て入口７３から空気循環経路７２内に吸い込まれ、そこに設けられた蒸発器２４を通過する。この蒸発器２４の温度は冷媒の蒸発により＋３℃程度に低下しているので、空気中の湿気は蒸発器２４を通過する過程で当該蒸発器２４の表面に凝結し、水滴となって落下する。落下した水滴は図示しないドレンパイプを介して、前記排水通路１２から外部の排水溝などに排出される。
【００５９】
また、蒸発器２４で湿気が取り除かれて乾燥した空気（温度は＋２０℃〜＋３０℃まで低下する）は送風機７５に吸い込まれ、空気循環経路７２の出口７４側に送風される。空気循環経路７２の出口７４側には前述の如くガスクーラ２２が設けられているので、乾燥した空気は再度ガスクーラ２２にて加熱された後、軸８の中空部９を経て内槽ドラム５内の収容室１０に吐出され、内槽ドラム５内の被洗濯物から湿気を奪って乾燥させる循環を繰り返す。
【００６０】
このような乾燥運転が制御装置１１０にて所定時間実行されることにより、内槽ドラム５内の収容室１０の被洗濯物は完全に乾燥される。
【００６１】
尚、上記実施例では補助蒸発器２５を排水通路１２のＵトラップ１４手前の排水貯溜部１６に設置して、排出された水（排水）から吸熱して蒸発させるものとしたが、これに限らず、補助蒸発器を外気と熱交換できる位置（図１の破線で示す補助蒸発器２５Ａ）に設けて、外気から吸熱して蒸発するものとしても良い。更に、係る補助蒸発器２５Ａを排水通路１２のＵトラップ１４手前の排水貯溜部１６の補助蒸発器２５と合わせて設置し、補助蒸発器２５では排水から、補助蒸発器２５Ａでは外気から吸熱するものとしてもよい。この場合には、エネルギー効率の向上をより一層図ることができるようになると共に、洗濯乾燥機１００を設置後の初回の運転などで、Ｕトラップ１４手前の排水貯溜部１６に排水が貯溜されていない場合においても、補助蒸発器２５Ａにて外気から熱を汲み上げることができるようになる。
【００６２】
また、本実施例では制御装置１１０によりコンプレッサ２１を給水バルブ３５の開−閉に同期してＯＮ−ＯＦＦしたが、これに限らず、コンプレッサ２１を給水バルブ３５の開放前から起動させてもよい。それにより、給水開始時から熱交換器５０の温度を上げておくことが可能となる。また、逆に給水バルブ３５を閉じる前にコンプレッサ２１を停止し、以降は熱交換器５０の余熱で水を加熱しても良い。それにより、消費電力の更なる低減を図ることができるようになる。
【００６３】
更に、本実施例に使用するコンプレッサ２１を第１及び第２の回転圧縮要素を備えた内部中間圧型多段（２段）圧縮式のロータリコンプレッサとしたが、本発明に使用可能なコンプレッサ２１はこれに限定されるものではない。
【図面の簡単な説明】
【００６４】
【図１】本発明の実施例の洗濯乾燥機の内部構成図である。
【符号の説明】
【００６５】
１  本体
２  外槽ドラム
５  内槽ドラム
７  透孔
８  軸
９  中空部
１０  収容室
１２  排水通路
１３  排水バルブ
１４  Ｕトラップ
１５  給水通路
１６  排水貯溜部
２０  冷媒回路
２１  コンプレッサ
２２  ガスクーラ
２３  膨張弁
２４  蒸発器
２５、２５Ａ  補助蒸発器
３０  冷媒導入管
３２  冷媒吐出管
３５  給水バルブ
４０  バイパス回路
４２、４４  三方弁
５０  熱交換器
７０  機械室
７２  空気循環経路
７３  入口
７４  出口
７５  送風機
１００  洗濯乾燥機
１１０  制御装置
【図１】
2006312075.tif 000003